(57)【要約】【課題】製造コストの増大を抑制しつつ騒音の低減を図ることが可能なディスク装置を提供する。【解決手段】ディスク装置の筐体１１は、上面が開口した矩形状のベース１０、およびベースにねじ止めされた矩形板状のトップカバー１５を有している。トップカバーにはラベル６０が貼付されている。筐体内には、ディスク状の記録媒体、記録媒体に対して情報の記録再生を行うヘッド、および機構部が設けられている。トップカバーは、絞りにより形成された凹所５０を有し、ラベルは凹所を覆ってトップカバーに貼付され、凹所の少なくとも一部は露出し開口部５０ａを形成している。【選択図】  図１
2007234118.tif 000002
【特許請求の範囲】
【請求項１】
上面が開口した矩形状のベース、および前記ベースの上面の開口を閉じた板状のトップカバーを有した筐体と、
前記トップカバーに貼付されたラベルと、
前記筐体内に設けられたディスク状の記録媒体と、
上記記録媒体に対して情報の記録再生を行うヘッドと、
前記筐体内に配設され前記記録媒体およびヘッドを駆動する機構部と、を備え、
前記トップカバーは、絞りにより形成された凹所を有し、
前記ラベルは前記凹所を覆って前記トップカバーに貼付され、前記凹所の少なくとも一部は露出し開口部を形成しているディスク装置。
【請求項２】
前記ラベルは、前記凹所の縁部を横切って延びた１つの側縁を有し、前記開口部は、前記ラベルの側縁および凹所によって規定されている請求項１に記載のディスク装置。
【請求項３】
前記ラベルは、それぞれ前記凹所の縁部を横切って延びた複数の側縁を有し、前記ラベルの側縁および前記凹所により複数の開口部が規定されている請求項１に記載のディスク装置。
【請求項４】
前記ラベルは、情報表示可能な表示層と、表示層に重ねて形成されているとともに前記トップカバーに貼付された粘着層と、前記凹所に重なって位置しているとともに前記開口部および前記側縁に隣接し、粘着層を持たない非粘着領域と、を有している請求項２又は３に記載のディスク装置。
【請求項５】
前記トップカバーは、前記凹所内に形成され前記開口部に隣接して位置しているとともに前記ラベルに当接した突出部を有している請求項１ないし３のいずれか１項に記載のディスク装置。
【請求項６】
前記ラベルは、前記凹所全体を覆って前記トップカバーに貼付されているとともに、前記凹所に重なって位置し前記開口部を規定した透孔を有している請求項１に記載のディスク装置。
【請求項７】
前記ラベルは、情報表示可能な表示層と、ラベルの振動を抑制する制振層とを有している請求項１に記載のディスク装置。
【請求項８】
前記ラベルは、情報表示可能な表示層と、表示装置に重ねて形成されラベルの振動を抑制する金属層と、金属層に重ねて設けられ前記トップカバーに貼付された粘着層と、を有している請求項１に記載のディスク装置。
【請求項９】
前記トップカバーの凹所は、前記記録媒体の中心とほぼ同芯の円弧状に形成されている請求項１に記載のディスク装置。
【請求項１０】
前記機構部は、前記ベースに取り付けられ前記記録媒体を支持および回転するスピンドルモータと、前記記録媒体に対して前記ヘッドを移動させるヘッドアクチュエータと、を備えている請求項１に記載のディスク装置。
【発明の詳細な説明】
【技術分野】
【０００１】
この発明は、記録媒体としてのディスクを有したディスク装置に関する。
【背景技術】
【０００２】
近年、コンピュータの外部記録装置や画像、音楽の記録再生装置として磁気ディスク装置、光ディスク装置などのディスク装置が広く用いられている。  
例えば、磁気ディスク装置は、一般に、筐体内に配設された磁気ディスク、磁気ディスクを支持および回転駆動するスピンドルモータ、磁気ヘッドを支持したヘッドアクチュエータ、ヘッドアクチュエータを駆動するボイスコイルモータ、回路基板ユニット等を備えている。ヘッドアクチュエータは、ケースに取り付けられた軸受部と、軸受部に積層され軸受部から延出した複数のアームと、を備え、各アームには、サスペンションを介して磁気ヘッドが取り付けられている。
【０００３】
筐体は、複数の機構部が実装されているとともに上面が開口したベースと、ベースの開口を覆ったトップカバーとで構成されている。通常、トップカバーは複数のねじによりベースの上面周縁部にねじ止めされている（例えば、特許文献１）。トップカバーには、剛性を高めるために絞り部、例えば、円弧状の凹所が設けられている。また、その磁気ディスク装置の型番や製造メーカ等を明記するための銘板ラベルが、トップカバーの表面に貼り付けられる。銘板ラベルは、凹所をすべて覆い隠すように、トップカバー表面に貼り付けられている。
【特許文献１】特開２００４−５７８３号公報
【発明の開示】
【発明が解決しようとする課題】
【０００４】
このような磁気ディスク装置では、スピンドルモータおよび磁気ディスクの回転に伴う振動、磁気ディスクの回転に伴う風乱に起因したヘッドアクチュエータの振動、ヘッドアクチュエータのシーク動作に伴う振動などが発生する。振動発生部となるスピンドルモータ、ヘッドアクチュエータの振動は、ベースおよびヘッドアクチュエータの枢軸等を介して、板状のトップカバーに伝達される。これにより、トップカバーが振動し、騒音を発生する。特に、カバーが有する固有振動モード周波数と、トップカバーに伝達された振動周波数とが近い場合、共振に発展し、スピンドルモータやヘッドアクチュエータの振動振幅が増大する。その結果、騒音も増大してしまう。
【０００５】
また、トップカバーの絞り部の全面を銘板ラベルで覆う構成の場合、トップカバーの振動が、空気伝播、固体伝播により銘板ラベルに伝わり、銘板ラベルが振動する。その銘板ラベルの振動が再び空気伝播により、トップカバーに伝わり、トップカバーの振動が励起されてしまう。このような現象により、トップカバーの振動が大きくなり、トップカバーからの騒音が大きくなっている。トップカバーの振動を抑えて騒音を低減するために、絞り部に制振材を張り付けた場合、部品点数が増加しコストアップにつながる。  
近年、磁気ディスク装置は、種々の分野で使用され、騒音の低減が望まれている。
【０００６】
この発明は以上の点に鑑みなされたもので、その目的は、製造コストの増大を抑制しつつ騒音の低減を図ることが可能なディスク装置を提供することにある。
【課題を解決するための手段】
【０００７】
上記目的を達成するため、この発明の態様に係るディスク装置は、上面が開口した矩形状のベース、および前記ベースの上面の開口を閉じた板状のトップカバーを有した筐体と、前記トップカバーに貼付されたラベルと、前記筐体内に設けられたディスク状の記録媒体と、上記記録媒体に対して情報の記録再生を行うヘッドと、前記筐体内に配設され前記記録媒体およびヘッドを駆動する機構部と、を備え、前記トップカバーは、絞りにより形成された凹所を有し、前記ラベルは前記凹所を覆って前記トップカバーに貼付され、前記凹所の少なくとも一部は露出し開口部を形成している。
【発明の効果】
【０００８】
この発明の態様によれば、製造コストの増大を抑制しつつ騒音の低減を図ることが可能なディスク装置を提供することができる。
【発明を実施するための最良の形態】
【０００９】
以下図面を参照しながら、この発明の第１の実施形態に係るハードディスクドライブ（以下ＨＤＤと称する）について詳細に説明する。  
図１および図２に示すように、ＨＤＤは筐体１１を備えている。この筐体１１は、上面の開口した矩形箱状のベース１０と、矩形板状のトップカバー１５とを備え、トップカバーは、複数のねじによりベースにねじ止めされ、ベースの上端開口を閉塞している。
【００１０】
ベース１０内には、記録媒体としての磁気ディスク１２、磁気ディスクを支持および回転させるスピンドルモータ１３、磁気ディスクに対して情報の記録、再生を行なう複数の磁気ヘッド、これらの磁気ヘッド３３を磁気ディスク１２に対して移動自在に支持したヘッドアクチュエータ１４、ヘッドアクチュエータを回動および位置決めするボイスコイルモータ（以下ＶＣＭと称する）２２、磁気ヘッドが磁気ディスクの最外周に移動した際、磁気ヘッドを磁気ディスクから離間した位置に保持するランプロード機構１８、ＨＤＤに衝撃等が作用した際、ヘッドクチュエータを退避位置に保持するイナーシャラッチ機構２０、およびプリアンプ等の電子部品が実装されたフレキシブルプリント回路基板ユニット（以下、ＦＰＣユニットと称する）１７が収納されている。
【００１１】
ベース１０の外面には、ＦＰＣユニット１７を介してスピンドルモータ１３、ＶＣＭ２２、および磁気ヘッドの動作を制御する図示しないプリント回路基板がねじ止めされ、ベース１０の底壁と対向して位置している。
【００１２】
磁気ディスク１２は、例えば、直径６５ｍｍ（２．５インチ）に形成され、上面および下面に磁気記録層を有している。磁気ディスク１２は、スピンドルモータ１３の図示しないハブに互いに同軸的に嵌合されているとともにクランプばね２１によりクランプされ、ハブに固定されている。そして、磁気ディスク１２は、駆動部としてのスピンドルモータ１３により所定の速度、例えば、５４００ｒｐｍの速度で回転駆動される。
【００１３】
ヘッドアクチュエータ１４は、ベース１０の底壁上に固定された軸受組立体２４を備えている。軸受部として機能する軸受組立体２４は、ベース１０の底壁に立設された枢軸２３と、枢軸に一対の軸受を介して回転自在に支持された円筒形状のハブ２６と、を有している。ヘッドアクチュエータ１４は、ハブ２６に取り付けられた２本のアーム２７、それぞれのアームから延出した２本のサスペンション３０、サスペンションの延出端に支持された磁気ヘッド３３、および複数のスペーサリングを備えている。
【００１４】
各磁気ヘッド３３は、図示しないほぼ矩形状のスライダとこのスライダに形成された記録再生用のＭＲ（磁気抵抗）ヘッド素子とを有し、サスペンション３０の先端部に形成されたジンバル部に固定されている。各磁気ヘッド３３は、それぞれ図示しない中継フレキシブルプリント回路基板（以下、中継ＦＰＣと称する）を介して後述するメインＦＰＣ４２に電気的に接続されている。中継ＦＰＣは、ヘッドアクチュエータ１４の各アーム２７およびサスペンション３０の表面に貼り付けられ、サスペンションの先端からアームの回動基端に亘って延びている。中継ＦＰＣは、全体として細長い帯状に形成され、その先端は磁気ヘッド３３に電気的に接続されているとともに、その基端部はメインＦＰＣ４２に電気的に接続されている。これにより、各磁気ヘッド３３は、中継ＦＰＣおよびメインＦＰＣ４２を介してＦＰＣユニット１７に電気的に接続されている。
【００１５】
ハブ２６の外周に嵌合されたアーム２７は所定の間隔を置いて互いに平行に位置し、これらのアームに取り付けられたサスペンション３０および磁気ヘッド３３は互いに向かい合って位置している。ＶＣＭ２２は、ハブ２６からアーム２７と反対方向に延出した図示しない支持フレーム、および支持フレームに支持されたボイスコイルを有している。ヘッドアクチュエータ１４をベース１０に組み込んだ状態において、ボイスコイルは、ベース１０上に固定された一対のヨーク３８間に位置し、これらのヨークおよび一方のヨークに固定された図示しない磁石とともにＶＣＭ２２を構成している。そして、ボイスコイルに通電することにより、ヘッドアクチュエータ１４が回動し、磁気ヘッド３３は磁気ディスク１２の所望のトラック上に移動および位置決めされる。
【００１６】
図１ないし図３に示すように、矩形板状のトップカバー１５は、例えば、板厚０．４ｍｍ程度のアルミニウム合金板をプレス成形することにより形成されている。トップカバー１５の４つのコーナ部、および一対の長辺側の側縁のほぼ中央には、それぞれ第１透孔４０が形成されている。トップカバー１５は、各第１透孔４０に挿通されたねじ１６をベース１０の周縁部に形成されたねじ孔にねじ込むことによりベースに締結され、ベースの上端開口を閉塞している。トップカバー１５は、磁気ディスク１２と所定の隙間をおいてほぼ平行に対向している。
【００１７】
トップカバー１５において、軸受組立体２４の枢軸２３と対向する位置には、第２透孔４４が形成されている。第２透孔４４に挿通された固定ねじ４３を枢軸２３の上端部にねじ込むことにより、トップカバー１５の一部と枢軸とが締結されている。従って、枢軸２３は、筐体１１のベース１０およびトップカバー１５により両端部が支持されている。このように、トップカバー１５は、周縁部に位置した６つのねじ止め用の第１透孔４０、および枢軸２３上に位置したねじ止め用の第２透孔４４を有している。
【００１８】
トップカバー１５には、トップカバーの剛性を高めるため、絞りにより凹所５０が形成されている。凹所５０は、磁気ディスク１２の回転中心とほぼ同芯の中心を有した円弧状、あるいは馬蹄形状に形成され、磁気ディスク１２の表面と対向して位置している。
【００１９】
トップカバー１５の表面には、磁気ディスク装置の情報を表示すための銘板ラベル６０が貼付されている。この銘板ラベル６０は、図４に示すように、銘板ラベル６０は、例えば、ポリエチレンテレフタレート等によって形成され情報表示が可能な表示層６４と、表示層に重ねて形成されラベルの振動を抑制する金属層６２と、金属層に重ねて設けられトップカバー１５に貼付された粘着層６６と、を有している。金属層６２は、例えば、銅箔によって形成されている。
【００２０】
図１、図３および図５に示すように、銘板ラベル６０は矩形状に形成され、その４辺の側縁がトップカバー１５の側縁とほぼ平行に整列した状態でトップカバー１５に貼付されている。銘板ラベル６０は、凹所５０の一部を除いてその大部分を覆ってトップカバー１５に貼付されている。銘板ラベル６０の１つの側縁６０ａは、凹所５０の縁部を横切って延び、凹所５０の一部は外部に露出して開口している。すなわち、銘板ラベル６０の側縁６０ａおよび凹所５０により、外部に開口した開口部５０ａが形成されている。
【００２１】
上記のように構成されたＨＤＤにおいて、記録・再生を行う時には、スピンドルモータ１３によって磁気ディスク１２が回転駆動される。また、ＶＣＭ２２によってヘッドアクチュエータ１４が揺動駆動され、磁気ヘッド３３が磁気ディスク１２の目標トラック上に位置決めされるシーク動作が行われる。
【００２２】
これらのスピンドルモータ１３の回転、およびヘッドアクチュエータ１４のシーク動作による振動から騒音が発生する。ＨＤＤの内部で発生した振動は、ベース１０およびトップカバー１５、又は銘板ラベル６０を通じて外部へ騒音となって放出される。この振動は、その伝達経路によって固体伝搬と気体伝搬とに分けられる。
【００２３】
固体伝搬は、スピンドルモータ１３の回転による振動およびシーク動作時の振動が、ベース１０またはトップカバー１５に伝達される振動をいう。気体伝搬は、磁気ディスク１２の回転時に発生する流体、すなわち空気の圧力変動によって引き起こされる振動をいう。このような気体伝搬は、主にトップカバー１５に伝えられて、騒音となって外部に放射される。トップカバー１５の振動は、さらに、銘板ラベル６０にも固体伝搬または気体伝搬によって伝達される。ここで、銘板ラベル６０はトップカバー１５に貼り付けるための粘着層６６を有している。そのため、銘板ラベル６０は、トップカバー１５と貼り付く領域において、制振効果が働いてトップカバー１５の振動を低減する効果がある。銘板ラベル６０が金属層６２を有している場合は、さらに制振効果が高い。
【００２４】
図５に示すように、トップカバー１５の凹所５０において、銘板ラベル６０とトップカバーとの間に隙間が存在する。この空間部では、トップカバー１５からの気体伝搬が発生し、銘板ラベル６０も振動する。この領域では、銘板ラベル６０とトップカバー１５とが直接接していないために、銘板ラベル自体の制振効果が低減する。
【００２５】
本実施形態によれば、銘板ラベル６０は、凹所５０の一部によって開口部５０ａが形成されるように、トップカバー１５に貼付されている。この場合、ＨＤＤを駆動した際に発生したトップカバー１５の気体伝播による振動は、開口部５０ａから外部に直接放出され、銘板ラベル６０からの反射による振動の励起が抑制される。これにより、トップカバー１５および銘板ラベル６０の振動を低減し、ＨＤＤから発生する騒音を低減するこが可能となる。
【００２６】
本発明者は、本実施形態に係るＨＤＤと、トップカバーの凹所全体を銘板ラベルで覆った比較例に係るＨＤＤとを用意し、騒音レベルを比較した。その結果、ほとんどの周波数帯域において、本実施形態に係るＨＤＤの騒音レベルは、比較例に係るＨＤＤの騒音レベルに比較して約１．３ｄＢ程度低減された。
【００２７】
上記ＨＤＤによれば、従来と同じ部品点数および同様の製造工程でありながら、低騒音化を実現することが可能となる。また、上記構成によれば、トップカバー１５の振動を抑える制振材と同様の騒音低減効果が得られるため、別途、制振材を凹所内に設ける必要がなく、部品点数を減らしてコスト低減をはかることができる。  
以上のことから、本実施形態によれば、製造コストの増大を抑制しつつ騒音の低減を図ることが可能なディスク装置が得られる。
【００２８】
次に、この発明の第２の実施形態に係るＨＤＤについて説明する。  
図６に示すように、第２の実施形態によれば、トップカバー１５に形成された凹所５０は、複数、例えば３つの開口部５０ａ、５０ｂを有している。銘板ラベル６０は、矩形状に形成され、複数、ここでは、３つの側縁６０ａ、６０ｂが凹所５０の縁部を横切るように、トップカバー１５に貼付されている。そして、銘板ラベル６０の各側縁６０ａ、６０ｂおよび凹所５０により３つの開口部５０ａ、５０ｂが規定されている。  
第２の実施形態によれば、第１の実施形態における騒音低減効果をより高めることが可能となる。
【００２９】
図７に示す第３の実施形態によれば、ＨＤＤのトップカバー１５に形成された凹所５０は、１つの開口部５０ａを有している。また、トップカバー１５は凹所５０内に形成された突出部５２を有している。突出部５２は、開口部５０ａに隣接して位置しているとともに、銘板ラベル６０に当接している。すなわち、突出部５２は、開口部５０ａをふさがない大きさであり、銘板ラベル６０が貼り付くようになっている。
【００３０】
第３の実施形態によれば、凹所５０を覆って設けられた銘板ラベル６０が、ＨＤＤの取り扱い時に誤って押圧された場合でも、突出部５２によりトップカバー１５の凹所５０に貼り付くことを防止できる。銘板ラベル６０は、押されても凹むことがなく、良い見栄えも保つことができる。また、第２の実施形態においても、第１の実施形態と同様の騒音低減効果を得ることができる。
【００３１】
図８に示す第４の実施形態によれば、ＨＤＤのトップカバー１５は凹所５０を有し、銘板ラベル６０は、凹所５０全体を覆ってトップカバーに貼付されている。銘板ラベル６０には、少なくとも１つの透孔６８が形成され、この透孔は凹所５０に重なって位置している。そして、この透孔６８により、外部に開口した凹所５０の開口部が形成されている。
【００３２】
上記構成の第４の実施形態においても、第１の実施形態と同様の騒音低減効果を得ることができる。
【００３３】
図９に示す第５の実施形態によれば、ＨＤＤのトップカバー１５に形成された凹所５０は、１つの開口部５０ａを有している。トップカバー１５に貼付された銘板ラベル６０は、情報表示可能な表示層と、表示層に重ねて形成されているとともにトップカバーに貼付された粘着層と、粘着層を持たない非粘着領域５４とを有している。銘板ラベル６０の非粘着領域５４は、凹所５０に重なって位置しているとともに開口部５０ａおよび銘板ラベルの側縁６０ａに隣接して位置している。
【００３４】
このように構成された第５の実施形態によれば、ＨＤＤの取り扱い時に誤って銘板ラベル６０が押圧された場合でも、銘板ラベルがトップカバー１５の凹所５０に貼り付くことを防止でき、第１の実施形態と同様の騒音低減効果を得ることができる。また、銘板ラベル６０は、押圧された場合でも凹んだ状態に維持されることがなく、良い見栄えを保つことができる。
【００３５】
なお、第２ないし第５の実施形態において、ＨＤＤの他の構成は前述した第１の実施形態と同一であり、同一の部分には同一の参照符号を付してその詳細な説明を省略した。  
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、この発明はＨＤＤに限定されることなく、ディスク状の記録媒体を備えた他のディスク装置にも適用することができる。トップカバーに形成された凹所の形状は、上述した実施形態に限定されることなく、必要に応じて種々変形可能である。銘板ラベルは、矩形状に限らず、必要に応じて他の形状を選択可能である。
【図面の簡単な説明】
【００３６】
【図１】図１は、この発明の第１の実施形態に係るＨＤＤを示す斜視図。
【図２】図２は、上記ＨＤＤを示す分解斜視図。
【図３】図３は、前記ＨＤＤのトップカバー側を示す平面図。
【図４】図４は、前記ＨＤＤの銘板ラベルを示す断面図。
【図５】図５は、図３の線Ａ−Ａに沿った前記ＨＤＤの断面図。
【図６】図６は、この発明の第２の実施形態に係るＨＤＤを示す平面図。
【図７】図７は、この発明の第３の実施形態に係るＨＤＤを示す平面図および線Ｂ−Ｂに沿った断面図。
【図８】図８は、この発明の第４の実施形態に係るＨＤＤを示す平面図および線Ｃ−Ｃに沿った断面図。
【図９】図９は、この発明の第５の実施形態に係るＨＤＤを示す平面図および線Ｄ−Ｄに沿った断面図。
【符号の説明】
【００３７】
１０…ベース、  １１…筐体、  １２…磁気ディスク、
１３…スピンドルモータ、  １４…ヘッドアクチュエータ、  １５…トップカバー、
２２…ＶＣＭ、  ３３…磁気ヘッド、  ５０…凹所、  ５０ａ、５０ｂ…開口部、
５２…突出部、  ５４…非粘着領域、  ６０…銘板ラベル、  ６０ａ、６０ｂ…側縁、
６８…透孔
【図１】
2007234118.tif 000003
【図２】
2007234118.tif 000004
【図３】
2007234118.tif 000005
【図４】
2007234118.tif 000006
【図５】
2007234118.tif 000007
【図６】
2007234118.tif 000008
【図７】
2007234118.tif 000009
【図８】
2007234118.tif 000010
【図９】
2007234118.tif 000011